(57)【要約】【課題】筐体に設けられた導通部との電気的接続を安定させることができる電子機器を提供する。【解決手段】電子機器は、内部に収容空間１０５を有する筐体１００と、筐体に外部に露出するとともに筐体１００の内部に露出するように設けられた導通部６０と、筐体１００を覆うカバー部材１３０と、筐体１００とカバー部材１３０との間に設けられ、一端７０ａに自由端を具備し、一部が筐体１００に固定された可撓性を有する接続部材７０とを備え、接続部材７０は、導通部６０に対向するとともに導通部６０に接触する接点部７４を含み、接続部材７０の自由端側がカバー部材１３０によって筐体１００側に向けて押圧されることにより、接点部７４が導通部６０に接触する。【選択図】図５
2017011603.tif 000002
【特許請求の範囲】
【請求項１】
内部に収容空間を有する筐体と、
一方側が前記筐体に外部に露出するとともに他方側が前記筐体の内部に露出するように設けられた導通部と、
前記筐体を覆うカバー部材と、
前記筐体と前記カバー部材との間に設けられ、一端に自由端を具備し、一部が前記筐体に固定され、可撓性を有する接続部材とを備え、
前記接続部材は、前記導通部に対向するとともに前記導通部に接触する接点部を含み、
前記接続部材の前記自由端側が前記カバー部材によって前記筐体側に向けて押圧されることにより、前記接点部が前記導通部に接触する、電子機器。
【請求項２】
前記接点部は、前記接続部材が前記筐体に固定されている固定部と、前記自由端との間に設けられている、請求項１に記載の電子機器。
【請求項３】
前記接点部は、前記導通部に向けて突出するように設けられている、請求項１または２に記載の電子機器。
【請求項４】
前記接続部材は、前記カバー部材が前記筐体に取付けられる前の状態において、前記接点部と前記自由端との間に、前記筐体から遠ざかるように傾斜する傾斜部を含む、請求項１から３のいずれか１項に記載の電子機器。
【請求項５】
前記カバー部材のうち前記接続部材を押圧する部分は、前記カバー部材のうち前記接続部材が前記筐体に固定されている固定部に対向する部分よりも、前記筐体側に向けて突出している、請求項１から４のいずれか１項に記載の電子機器。
【請求項６】
前記筐体は、前記カバー部材によって押圧された前記接続部材の前記自由端側が前記筐体に接触することを回避する退避部を含む、請求項１から５のいずれか１項に記載の電子機器。
【請求項７】
前記導通部は、前記接続部材に対向する部分に前記接続部材に向けて突出する突起を有する、請求項１から６のいずれか１項に記載の電子機器。
【請求項８】
前記導通部は、前記筐体と一体的に成形されている、請求項１から７のいずれか１項に記載の電子機器。
【請求項９】
前記接続部材は、アンテナを含む、請求項１から８のいずれか１項に記載の電子機器。
【請求項１０】
前記接続部材は、充電端子を含む、請求項１から８のいずれか１項に記載の電子機器。
【発明の詳細な説明】
【技術分野】
【０００１】
本開示は、電子機器に関する。
【背景技術】
【０００２】
筐体上にアンテナパターンが印刷された携帯端末装置が開示された文献として、たとえば特開２０１３−１５０２８１号公報が挙げられる。
【先行技術文献】
【特許文献】
【０００３】
【特許文献１】特開２０１３−１５０２８１号公報
【発明の概要】
【発明が解決しようとする課題】
【０００４】
携帯端末装置などの電子機器において、筐体上に設けられたアンテナパターンは、筐体を貫通する導通部材に電気的に接続される。アンテナパターンを筐体上に印刷する場合には、異物がアンテナパターンと導通部材との間に挟まることがある。この場合には、アンテナパターンと導通部材との電気的接続が不安定となり、アンテナ性能が劣化する。
【０００５】
本開示は、上記のような問題に鑑みてなされたものであり、本開示の目的は、筐体に設けられた導通部との電気的接続を安定させることができる電子機器を提供することにある。
【課題を解決するための手段】
【０００６】
本開示に基づく電子機器は、内部に収容空間を有する筐体と、上記筐体に外部に露出するとともに上記筐体の内部に露出するように設けられた導通部と、上記筐体を覆うカバー部材と、上記筐体と上記カバー部材との間に設けられ、一端に自由端を具備し、一部が上記筐体に固定され、可撓性を有する接続部材とを備え、上記接続部材は、上記導通部に対向するとともに上記導通部に接触する接点部を含み、上記接続部材の上記自由端側が上記カバー部材によって上記筐体側に向けて押圧されることにより、上記接点部が上記導通部に接触する。
【０００７】
上記本開示に基づく電子機器にあっては、上記接点部は、上記接続部材が上記筐体に固定されている固定部と上記自由端との間に設けられていることが好ましい。
【０００８】
上記本開示に基づく電子機器にあっては、上記接点部は、上記導通部に向けて突出するように設けられていることが好ましい。
【０００９】
上記本開示に基づく電子機器にあっては、上記接続部材は、上記カバー部材が上記筐体に取付けられる前の状態において、上記接点部と上記自由端との間に、上記筐体から遠ざかるように傾斜する傾斜部を含むことが好ましい。
【００１０】
上記本開示に基づく電子機器にあっては、上記カバー部材のうち上記接続部材を押圧する部分は、上記カバー部材のうち上記接続部材が上記筐体に固定されている固定部に対向する部分よりも、上記筐体側に向けて突出していることが好ましい。
【００１１】
上記本開示に基づく電子機器にあっては、上記筐体は、上記カバー部材によって押圧された上記接続部材の上記自由端側が上記筐体に接触することを回避する退避部を含むことが好ましい。
【００１２】
上記本開示に基づく電子機器にあっては、上記導通部は、上記接続部材に対向する部分に上記接続部材に向けて突出する突起を有していてもよい。
【００１３】
上記本開示に基づく電子機器にあっては、上記導通部は、上記筐体と一体的に成形されていてもよい。
【００１４】
上記本開示に基づく電子機器にあっては、上記接続部材は、アンテナを含んでいてもよい。
【００１５】
上記本開示に基づく電子機器にあっては、上記接続部材は、充電端子を含んでいてもよい。
【発明の効果】
【００１６】
本開示によれば、筐体に設けられた導通部との電気的接続を安定させることができる電子機器を提供することができる。
【図面の簡単な説明】
【００１７】
【図１】実施の形態１に係る携帯端末装置が開いた状態の正面図である。
【図２】実施の形態１に係る携帯端末装置が閉じた状態の背面図である。
【図３】実施の形態１に係る携帯端末装置の操作側の分解斜視図である。
【図４】図２に示すＩＶ−ＩＶ線に沿った断面図である。
【図５】実施の形態１に係る携帯端末装置に具備されるアンテナの周辺構造を示す拡大断面図である。
【図６】実施の形態２に係る携帯端末装置に具備されるアンテナの周辺構造を示す拡大断面図である。
【図７】実施の形態３に係る携帯端末装置に具備されるアンテナの周辺構造を示す拡大断面図である。
【図８】実施の形態４に係る携帯端末装置に具備される充電端子の周辺構造を示す模式断面図である。
【発明を実施するための形態】
【００１８】
以下、本開示の実施の形態について、図を参照して詳細に説明する。以下に示す実施の形態においては、電子機器として、携帯電話機、スマートフォン、携帯情報端末、タブレット端末等の携帯端末装置を例示して説明を行なう。以下に示す実施の形態においては、同一のまたは共通する部分について図中同一の符号を付し、その説明は繰り返さない。
【００１９】
（実施の形態１）
図１は、本実施の形態に係る携帯端末装置が開いた状態の正面図である。図２は、本実施の形態に係る携帯端末装置が閉じた状態の背面図である。図１および図２を参照して、本実施の形態に係る携帯端末装置１について説明する。
【００２０】
図１および図２に示すように、本実施の形態に係る携帯端末装置１は、折畳み可能に構成されている。携帯端末装置１は、表示部１１が設けられた第１構成部１０と、複数の操作キー２１が設けられた第２構成部２０と、第１構成部１０および第２構成部２０を回動可能に連結する連結部３０とを備える。
【００２１】
図３は、本実施の形態に係る携帯端末装置の操作側の分解斜視図である。図４は、図２に示すＩＶ−ＩＶ線に沿った断面図である。図３および図４を参照して、本実施の形態に係る携帯端末装置１の操作側に含まれる第２構成部２０について説明する。
【００２２】
図３に示すように、第２構成部２０は、筐体１００、カバー部材としてのリアカバー１３０、フロントカバー１４０、キーシート１５０、電池１６０、蓋部材１７０、および後述する導通部としてのインサートピン６０を含む。
【００２３】
筐体１００は、第１筐体部１１０と第２筐体部１２０とを有する。第１筐体部１１０は、たとえば樹脂部材によって構成されている。第１筐体部１１０の背面側には、電池１６０を収容する電池収容部１１１が設けられている。第１筐体部１１０の正面側には、正面側に向けて開口する収容凹部１１２（図４参照）が設けられている。
【００２４】
第１筐体部１１０の背面側には、アンテナ７０の一部が固定されている。第１筐体部１１０の背面側であって、上記電池収容部１１１の周囲には、充電端子５５が露出するように設けられている。充電端子５５は、電池１６０を充電するための端子である。
【００２５】
第２筐体部１２０は、たとえば樹脂部材によって構成されている。第２筐体部１２０の背面側には、背面側に向けて開口する収容凹部１２１が設けられている。第２筐体部１２０の正面側には、複数のキースイッチ等が設けられた配線基板（不図示）を載置可能に設けられている。
【００２６】
リアカバー１３０は、たとえば樹脂部材によって構成されている。リアカバー１３０は、第１筐体部１１０の背面側から第１筐体部１１０を覆う。リアカバー１３０は、底面部には、充電端子５５および電池１６０を露出させる開口部１３１が設けられている。
【００２７】
フロントカバー１４０は、たとえば樹脂部材によって構成されている。フロントカバー１４０は、第２筐体部１２０の正面側から第２筐体部１２０を覆う。フロントカバー１４０と第２筐体部１２０の間には、上記配線基板とキーシート１５０等が収容される。フロントカバー１４０は、複数のキー孔１４１を有する。
【００２８】
キーシート１５０は、たとえば、シリコンゴム製のシート１５１の正面側に複数のキートップ（不図示）が貼り付けられることにより構成される。上記複数のキートップの各々は、上記配置線基板に設けられた複数のキースイッチの各々に対応する位置に設けられる。上記複数のキートップの各々は、フロントカバー１４０に設けられた複数のキー孔１４１の各々から露出する。
【００２９】
電池１６０は、電池収容部１１１に装脱可能に収容される。蓋部材１７０は、樹脂部材によって構成されている。蓋部材１７０は、リアカバー１３０に設けられた開口部１３１を覆う。蓋部材１７０は、ロック機構１７１によって第１筐体部１１０に着脱可能に固定される。蓋部材１７０は、充電端子５５に対応する位置に設けられた開口部１７２を有する。蓋部材１７０の開口部１７２は、リアカバー１３０の開口部１３１に対向するように設けられている。
【００３０】
図４に示すように、第１筐体部１１０および第２筐体部１２０とは、液密に係合している。第１筐体部１１０と第２筐体部１２０とは、パッキン９０を挟み込むように係合する。第１筐体部１１０と第２筐体部１２０とは、収容凹部１１２の底面部１１２ａと収容凹部１２１の上面部１２１ａとが対向するようにして係合する。
【００３１】
第１筐体部１１０と第２筐体部１２０とが係合することにより、第１筐体部１１０と第２筐体部１２０との間には、収容空間１０５が形成される。収容空間１０５には、回路基板５０等が収容される。
【００３２】
収容凹部１１２の底面部１１２ａは、開口部１１５を有する。開口部１１５には、充電端子５５が挿入されている。充電端子５５は、開口部１１５の周縁に位置する収容凹部１１２の外表面と対向する縁部５５ａを有する。充電端子５５の縁部５５ａは、防水性を有するシール部材５６によって上記収容凹部１１２の外表面に接着されている。
【００３３】
充電端子５５は、蓋部材１７０の開口部１７２によって外部に露出している。これにより、充電端子５５は、充電器側の充電ピンと接触可能となる。
【００３４】
第１筐体部１１０には、インサートピン６０が貫通するように設けられている。インサートピン６０は、インサート成形によって第１筐体部１１０と一体的に成形されている。インサートピン６０と第１筐体部１１０とを一体的に成形することにより、防水性を高めることができる。
【００３５】
インサートピン６０は、略円柱形状を有する。インサートピン６０の外周面は、凹凸形状を有する。インサートピン６０の外周面を凹凸形状とすることにより、第１筐体部１１０とインサートピン６０との密着性を向上させることができる。
【００３６】
インサートピン６０は、一方側が筐体１００の外側に露出するとともに他方側が筐体１００の内部に露出するように設けられている。筐体１００の内部に露出するインサートピン６０の他方側は、バネ端子８０によって回路基板５０と電気的に接続される。筐体１００の外部に露出する一方側は、アンテナ７０と接触する。
【００３７】
筐体１００は、リアカバー１３０とフロントカバー１４０との間に収容される。リアカバー１３０は、たとえば２色成形により成形され、第１部分１３５と第２部分１３６とを含む。第２部分１３６は、第１部分１３５の外側面に設けられる。フロントカバー１４０は、たとえば２色成形により形成され、第１部分１４５と第２部分１４６とを含む。第２部分１４６は、第１部分１４５の外側面に設けられる。
【００３８】
図５は、本実施の形態に係る携帯端末装置に具備されるアンテナの周辺構造を示す拡大断面図である。図５を参照して、本実施の形態に係る携帯端末装置に具備されるアンテナ７０の周辺構造について説明する。
【００３９】
図５に示すように、アンテナ７０は、第１筐体部１１０とリアカバー１３０との間に設けられている。アンテナ７０は、リアカバー１３０によって覆われる。アンテナ７０は、帯状の金属片によって構成される。アンテナ７０は、第１筐体部１１０の背面に沿う部分７１と、第１筐体部１１０の外側面に沿う部分７２とを含む。
【００４０】
アンテナ７０のうち第１筐体部１１０の背面に沿う部分７１は、固定孔７３を有する。固定孔７３が第１筐体部１１０の背面に設けられたピン部１１３を通ることによってアンテナ７０が固定される。
【００４１】
具体的には、固定孔７３がピン部１１３を通った状態でピン部１１３をプレスすることにより、ピン部１１３の先端部と根元部との間に固定孔７３の周縁が挟み込まれる。アンテナ７０のうちピン部１１３の先端部と根元部とによって挟み込まれた部分によって、アンテナ７０が第１筐体部１１０によって固定される固定部７６が形成される。
【００４２】
アンテナ７０は、可撓性を有する。アンテナ７０が部分的に固定されることにより、アンテナ７０の一端７０ａは自由端となり、アンテナ７０の一端７０ａ側は、撓み変形可能となる。
【００４３】
アンテナ７０は、インサートピン６０に対向するとともにインサートピン６０に接触する接点部７４を有する。接点部７４は、固定部７６と一端７０ａ（自由端）との間に設けられている。接点部７４は、インサートピン６０に向けて突出するように設けられる。接点部７４は、先細り形状を有する。
【００４４】
アンテナ７０は、図中二点鎖線にて示すように、リアカバー１３０が第１筐体部１１０に取付けられる前の状態において、接点部７４と一端７０ａ（自由端）との間に、第１筐体部１１０から遠ざかるように傾斜する傾斜部７５を有する。アンテナ７０が傾斜部７５を有することにより、リアカバー１３０の取付け時にアンテナ７０の一端７０ａ側を第１筐体部１１０側に向けて確実に押し込むことができる。
【００４５】
リアカバー１３０のうちアンテナ７０の一端７０ａ側を押圧する部分は、リアカバー１３０のうち固定部７６に対向する部分よりも第１筐体部１１０側に向けて突出している。このことによっても、リアカバー１３０の取付け時にアンテナ７０の一端７０ａ側を第１筐体部１１０側に向けて確実に押し込むことができる。
【００４６】
アンテナ７０の一端７０ａ側が第１筐体部１１０に向けて押圧されることにより、アンテナ７０の一端７０ａ側は、固定部７６を支点として全体的に第１筐体部１１０に近づくように回動する。この際、接点部７４がインサートピン６０に接触する。
【００４７】
接点部７４は、インサートピン６０に向けて突出するように設けられる。このため、アンテナ７０の一端７０ａ側が回動した際に、接点部７４をインサートピン６０に確実に接触させることができる。インサートピン６０に対して接点部７４を点接触させる場合には、インサートピン６０とアンテナ７０との導通がより安定する。
【００４８】
第１筐体部１１０には、アンテナ７０の一端７０ａ側が固定部７６を支点として第１筐体部１１０側に向けて回動する際に、アンテナ７０の一端７０ａ（自由端）が、第１筐体部１１０に接触することを回避する退避部１１４が設けられている。退避部１１４は、第１筐体部１１０の外表面（背面）の一部が第１筐体部１１０の内表面（前面）側に向けて後退することにより形成される。
【００４９】
退避部１１４が設けられることにより、アンテナ７０の一端７０ａ側の回動範囲が広くなる。アンテナ７０の一端７０ａを筐体１００の収容空間１０５により近づくように押し込むことにより、アンテナ７０の一端７０ａ側を全体的に第１筐体部１１０に近づけることができる。このことによっても、接点部７４をインサートピン６０に確実に接触させることができる。
【００５０】
以上のように、本実施の形態に係る携帯端末装置１にあっては、一端７０ａが自由端となるように帯状のアンテナ７０の一部を第１筐体部１１０に固定し、第１筐体部１１０を覆うリアカバー１３０によって上記自由端側が第１筐体部１１０に向けて押圧されることにより、アンテナ７０の接点部７４が、第１筐体部１１０の外部および内部に露出するインサートピン６０に接触する。
【００５１】
アンテナ７０の一端７０ａ（自由端）側がリアカバー１３０に押し込まれて移動する構成とすることにより、接点部７４とのインサートピン６０とを確実に接触させることができる。また、インサートピン上で異物を挟み込むようにしてアンテナパターンが印刷されることがなくなる。これらの結果、アンテナ７０とインサートピン６０との電気的接続を安定させることができ、アンテナ性能を安定させることができる。
【００５２】
アンテナ７０を第１筐体部１１０に固定する際には、予めパターニングされた帯状のアンテナ７０を準備し、帯状のアンテナ７０の途中部に設けられた固定孔７３を第１筐体部１１０に設けられたピン部１１３に嵌め込む。固定孔７３がピン部１１３に嵌め込まれた状態でピン部１１３をプレスして、ピン部１１３の先端部と根元部とで固定孔７３の周縁に位置するアンテナ７０を挟み込む。これにより、アンテナ７０が第１筐体部１１０に固定される。
【００５３】
このため、第１筐体部１１０の外表面および外周面の形状に応じて、都度アンテナパターンを印刷する場合と比較して、製造工程を簡素化し、アンテナ７０を第１筐体部１１０に容易に固定することができる。この結果、携帯端末装置１を容易に製造することができる。
【００５４】
（実施の形態２）
図６は、本実施の形態に係る携帯端末装置に具備されるアンテナの周辺構造を示す拡大断面図である。図６を参照して、本実施の形態に係る携帯端末装置について説明する。
【００５５】
図６に示すように、本実施の形態に係る携帯端末装置は、実施の形態１に係る携帯端末装置１と比較した場合に、第２構成部２０Ａに含まれるアンテナ７０Ａの周辺構造が相違する。その他の構成については、ほぼ同様である。
【００５６】
本実施の形態に係るアンテナ７０Ａにおいては、アンテナ７０Ａのうち第１筐体部１１０の背面（外表面）に沿う部分７１Ａは、リアカバー１３０の取付け前の状態において、略直線状に延在する。リアカバー１３０の取付け前の状態において、アンテナ７０Ａの一端７０ａは、ピン部１１３の先端よりも第１筐体部１１０寄りに位置する。
【００５７】
リアカバー１３０には、アンテナ７０Ａの一端７０ａ側を押圧する凸部１３２が設けられている。凸部１３２は、リアカバー１３０のうちアンテナ７０Ａの接点部７４に対向する部分よりも第１筐体部１１０側に向けて突出する。
【００５８】
アンテナ７０Ａの一端７０ａ側が凸部１３２によって第１筐体部１１０に向けて押圧されることにより、アンテナ７０Ａの一端７０ａ側は、固定部７６を支点として全体的に第１筐体部１１０に近づくように回動する。この際、接点部７４がインサートピン６０に接触する。
【００５９】
以上のように、本実施の形態に係る携帯端末装置にあってもアンテナ７０Ａの一端７０ａ（自由端）側がリアカバー１３０に押し込まれて、接点部７４が第１筐体部１１０に設けられたインサートピン６０に接触する構成とすることにより、実施の形態１とほぼ同様の効果が得られる。
【００６０】
（実施の形態３）
図７は、本実施の形態に係る携帯端末装置に具備されるアンテナの周辺構造を示す拡大断面図である。図７を参照して、本実施の形態に係る携帯端末装置について説明する。
【００６１】
図７に示すように、本実施の形態に係る携帯端末装置は、実施の形態１に係る携帯端末装置１と比較した場合に、第２構成部２０Ｂに含まれるアンテナ７０Ｂの周辺構造が相違する。その他の構成については、ほぼ同様である。
【００６２】
本実施の形態に係るアンテナ７０Ｂにおいては、接点部７４Ｂが平坦形状を有する。インサートピン６０は、アンテナ７０Ｂに対向する部分にアンテナ７０Ｂに向けて突出する突起６１を有する。
【００６３】
アンテナ７０Ｂの一端７０ａ側が、リアカバー１３０によって押圧されることにより、アンテナ７０Ｂの一端７０ａ側は、固定部７６を支点として全体的に第１筐体部１１０に近づくように回動する。この際、接点部７４Ｂがインサートピン６０の突起６１に接触する。
【００６４】
以上のように、本実施の形態に係る携帯端末装置にあってもアンテナ７０Ｂの一端７０ａ（自由端）側がリアカバー１３０に押し込まれて、接点部７４Ｂが第１筐体部１１０に設けられたインサートピン６０に接触する構成とすることにより、実施の形態１とほぼ同様の効果が得られる。
【００６５】
（実施の形態４）
図８は、本実施の形態に係る携帯端末装置に具備される充電端子の周辺構造を示す模式断面図である。図８を参照して、本実施の形態に係る携帯端末装置について説明する。本実施の形態においては、上述した実施の形態１に係るアンテナ７０の構成と同等の構成を接続部材としての充電端子４０に用いた場合を例示して説明する。
【００６６】
図８に示すように、本実施の形態に係る携帯端末装置は、実施の形態１に係る携帯端末装置１と比較した場合に、第２構成部２０Ｃにおける充電端子４０の周辺構造が相違する。その他の構成については、ほぼ同様である。
【００６７】
第１筐体部１１０には、導通部としてのインサートピン６０Ｃが貫通するように設けられている。インサートピン６０は、インサート成形によって第１筐体部１１０と一体的に成形されている。
【００６８】
インサートピン６０Ｃは、一方側が第１筐体部１１０の外側に露出するとともに他方側が第１筐体部１１０の内側に露出するように設けられている。第１筐体部１１０の内側に露出するインサートピン６０Ｃの他方側は、バネ端子（不図示）によって第１筐体１１０の内側に位置する回路基板と電気的に接続される。インサートピン６０Ｃの一方側は、充電端子４０と接触する。
【００６９】
充電端子４０は、第１筐体部１１０と、カバー部材としての蓋部材１７０との間に設けられている。充電端子４０は、一部が露出するように蓋部材１７０に覆われている。充電端子４０は、蓋部材１７０の開口部１７２に対向する部分を含む。
【００７０】
充電端子４０は、帯状の金属片によって構成されている。充電端子４０は、第１筐体部１１０の背面（外表面）に沿う部分を含む。充電端子４０は、上述した実施の形態１に係る固定方法と同様の固定方法によって一部が第１筐体部１１０に固定される。これにより、充電端子４０においても第１筐体部１１０に固定される固定部が形成される。
【００７１】
充電端子４０は、可撓性を有する。充電端子４０が部分的に固定されることにより、充電端子４０の一端４０ａ側は自由端となり、充電端子４０の一端４０ａ側は、撓み変形可能となる。
【００７２】
充電端子４０は、インサートピン６０Ｃに対向するとともにインサートピン６０Ｃに接触する接点部４４を有する。接点部４４は、上述の固定部と一端４０ａとの間に設けられている。接点部４４は、先細り形状を有する。
【００７３】
接点部４４は、図中二点鎖線にて示すように、蓋部材１７０が第１筐体部１１０に取付けられる前の状態において、接点部４４と一端４０ａ（自由端）との間に、第１筐体部１１０から遠ざかるように傾斜する傾斜部４５を有する。充電端子４０が傾斜部４５を有することにより、蓋部材１７０の取付け時に充電端子４０の一端４０ａ側を第１筐体部１１０側に向けて確実に押し込むことができる。
【００７４】
充電端子４０の一端４０ａ側が蓋部材１７０によって第１筐体部１１０に向けて押圧されることにより、充電端子４０の一端４０ａ側は、上述の固定部を支点として全体的に第１筐体部１１０に近づくように回動する。この際、接点部４４がインサートピン６０Ｃに接触する。
【００７５】
以上のように、本実施の形態に係る携帯端末装置にあっては、一端４０ａが自由端となるように帯状の充電端子４０の一部を第１筐体部１１０に固定し、第１筐体部１１０を覆う蓋部材１７０によって上記自由端側が第１筐体部１１０に向けて押圧されることにより、充電端子４０の接点部４４が、第１筐体部１１０の外部および内部に露出するインサートピン６０Ｃに接触する。
【００７６】
このように構成することにより、接点部４４とのインサートピン６０Ｃとを確実に接触させることができる。この結果、充電端子４０とインサートピン６０Ｃとの電気的接続を安定させることができる。
【００７７】
また、収容空間１０５内に収容される収容物との位置関係においてインサートピン６０Ｃの位置を変更させる場合であっても、帯状の充電端子４０の延在方向および長さを適宜変更することにより、充電端子４０とインサートピン６０Ｃとの電気的接続を確保することができる。これにより、設計の自由度が向上する。
【００７８】
上述した実施の形態１から４においては、インサートピン６０，６０Ｃがインサート成形によって第１筐体部１１０と一体に成形されている場合を例示して説明したが、これに限定されず、第１筐体部１１０に設けられた貫通孔に導通部材が挿入されていてもよい。この場合には、導通部材は、防水性を有する封止部材によって第１筐体部１１０に液密に固定される。
【００７９】
導通部材は、インサート成形に限らず、たとえば、図５〜図７に示すように、筐体と、それぞれが有する凹凸を互いに係合するようにしてもよい。また、導通部材がネジ状の凹凸を有して、筐体が当該ネジ状の凹凸を受ける凹凸を有していてもよい。これらのように、導通部材と筐体とが、それぞれ凹凸を有することにより、導通部材と筐体とが密着して結合し、筐体の導通部材への保持力が向上する。また、防水性も向上する。
【００８０】
導通部材と筐体とが上記の凹凸をそれぞれ有したうえで、接続部材の一端がカバー部材に押圧されることにより、導通部材の凹凸と筐体の凹凸との食いつきを向上させ、結果として防水構造を向上させることも可能である。
【００８１】
上述した実施の形態１から４においては、インサートピン６０，６０Ｃの一方端が第１筐体部１１０の外表面よりも外側に突出する場合を例示して説明したが、これに限定されず、アンテナまたは充電端子に接触可能に構成される限り、インサートピン６０，６０Ｃの一方端は、第１筐体部１１０の外表面よりも後退した位置（内表面寄りの位置）に位置していてもよい。同様に、インサートピン６０，６０Ｃの他方端も、バネ端子を介して回路基板に接続可能に設けられる限り、第１筐体部１１０の内表面よりも後退した位置（外表面寄りの位置）に位置していてもよい。
【００８２】
上述した実施の形態１から４においては、アンテナまたは充電端子が第１筐体部１１０に設けられる場合を例示して説明したが、これに限定されず、第２筐体部１２０に設けられていてもよい。この場合には、アンテナまたは充電端子は、フロントカバーによって覆われる。
【００８３】
上述した実施の形態１から４においては、電子機器が、携帯電話機、スマートフォン、携帯情報端末、タブレット端末等の携帯端末装置である場合を例示して説明したが、これに限定されず、パーソナルコンピュータ、ゲーム機、テレビ受像機、携帯音楽プレーヤー、ＣＤプレーヤー、ＤＶＤプレーヤー、電子辞書、電子書籍リーダー、デジタルカメラ、ビデオカメラ、ラジオ受信機、ナビゲーションシステム等であってもよい。
【００８４】
以上、今回開示された実施の形態はすべての点で例示であって制限的なものではない。本発明の範囲は特許請求の範囲によって示され、特許請求の範囲と均等の意味および範囲内でのすべての変更が含まれる。
【符号の説明】
【００８５】
１  携帯端末装置、１０  第１構成部、１１  表示部、２０，２０Ａ，２０Ｂ，２０Ｃ  第２構成部、２１  操作キー、３０  連結部、４０  充電端子、４４  接点部、４５  傾斜部、５０  回路基板、５５  充電端子、５６  シール部材、６０，６０Ｃ  インサートピン、６１  突起、７０，７０Ａ，７０Ｂ  アンテナ、７３  固定孔、７４，７４Ｂ  接点部、７５  傾斜部、７６  固定部、８０  バネ端子、９０  パッキン、１００  筐体、１０５  収容空間、１１０  第１筐体部、１１１  電池収容部、１１２  収容凹部、１１３  ピン部、１１４  退避部、１１５  開口部、１２０  第２筐体部、１２１  収容凹部、１３０  リアカバー、１３１  開口部、１３２  凸部、１３５  第１部分、１３６  第２部分、１４０  フロントカバー、１４１  キー孔、１４５  第１部分、１４６  第２部分、１５０  キーシート、１５１  シート、１６０  電池、１７０  蓋部材、１７１  ロック機構、１７２  開口部。
【図４】
2017011603.tif 000003
【図５】
2017011603.tif 000004
【図６】
2017011603.tif 000005
【図７】
2017011603.tif 000006
【図８】
2017011603.tif 000007
【図１】
2017011603.tif 000008
【図２】
2017011603.tif 000009
【図３】
2017011603.tif 000010